(57)【要約】【課題】ハンドルフレームと抵抗棒の固定用の支持部材を連続的で一体的に取り付けることで、部品点数の削減と製造コストの低減と重量軽減を図る。【解決手段】ミッションケース下部の車軸に取付けられた作業爪と、該ミッションケースの後方に設けた連結部材に取り付けたハンドルフレームを介して機体後方に向けて延設されたハンドルと、下方に延出し上下方向に退出自在に配置された抵抗棒と、を備えた歩行型移動農機において、前記ハンドルフレームはその下端に単一の筒状体を有し、前記取付部材の後端部に当該筒状体を下方に向けて取り付けることで支持され、前記抵抗棒の固定用の支持部材を前記筒状態に連続的で一体的に構成し、前記抵抗棒を当該支持部材を介して前記ハンドルフレームの筒状部内に退出自在に取り付けるように構成した。【選択図】      図１
2014087264.tif 000002
【特許請求の範囲】
【請求項１】
ミッションケース下部の車軸に取付けられた作業爪と、該ミッションケースの後方に設けた連結部材に取り付けたハンドルフレームを介して機体後方に向けて延設されたハンドルと、下方に延出し上下方向に退出自在に配置された抵抗棒と、を備えた歩行型移動農機において、前記ハンドルフレームはその下端に単一の筒状体を有し、前記取付部材の後端部に当該筒状体を下方に向けて取り付けることで支持され、前記抵抗棒の固定用の支持部材を前記筒状態に連続的で一体的に構成し、前記抵抗棒を当該支持部材を介して前記ハンドルフレームの筒状部内に退出自在に取り付けた、ことを特徴とする歩行型移動農機。
【発明の詳細な説明】
【技術分野】
【０００１】
本発明は、抵抗棒とハンドルフレームにハンドルを備えた小型管理機等の歩行型移動農機の技術分野に属するものである。
【背景技術】
【０００２】
従来、一般に、小型管理機等の歩行型移動農機は、機体後部に斜め上方に大きく突出したハンドルと、下方に延出し上下方向に退出自在な抵抗棒を備えている。この種のハンドル、及び抵抗棒は、ミッションケースの後部に設けた連結部材に対してハンドルフレームと抵抗棒を各別に取り付けることで機体に取り付いている。（例えば、特許文献１参照）
【先行技術文献】
【特許文献】
【０００３】
【特許文献１】特開２００２−１２５４０２号公報
【発明の概要】
【発明が解決しようとする課題】
【０００４】
しかしながら、上記従来のものでは、ハンドルフレームと、抵抗棒を支持する固定部材を別体で構成し、連結部材に対して溶接等で各別に取り付けていたために、ハンドルを下げて機体前部を上昇させる際には、エンジン、ミッション等の機体の重量と、ハンドルを下方に押さえつける力とが、連結部材に対して複数方向から集中してかかることとなり、取付部材そのものを強固に構成する必要があった。また、小型で安価な歩行型移動農機にあっては、部品点数が多くなりコスト高の要因の一つになっていた。
【０００５】
そこで本発明は、シンプル且つ軽量なハンドルフレームと抵抗棒との機体取付構造を採用することによって安価且つ軽量な歩行型移動農機を提供することを目的とする。
【課題を解決するための手段】
【０００６】
本発明は、上記の如き実情に鑑みこれらの課題を解決することを目的として創作されたものであって、ミッションケース下部の車軸に取付けられた作業爪と、該ミッションケースの後方に設けた連結部材に取り付けたハンドルフレームを介して機体後方に向けて延設されたハンドルと、下方に延出し上下方向に退出自在に配置された抵抗棒と、を備えた歩行型移動農機において、前記ハンドルフレームはその下端に単一の筒状体を有し、前記取付部材の後端部に当該筒状体を下方に向けて取り付けることで支持され、前記抵抗棒の固定用の支持部材を前記筒状態に連続的で一体的に構成し、前記抵抗棒を当該支持部材を介して前記ハンドルフレームの筒状部内に退出自在に取り付けた、ことを特徴とする。
【発明の効果】
【０００７】
本発明によると、ハンドルフレームはその下部に単一の筒状体を有し、前記取付部材の後端部に当該筒状体を下方に向けて取り付けることで支持され、前記抵抗棒の固定用の支持部材を前記筒状体に連続的で一体的に構成し、前記抵抗棒を当該支持部材を介して前記ハンドルフレームの筒状部内に退出自在に取り付け、ハンドルフレームに抵抗棒を支持する固定パイプを連続的で一体的としたことで、ハンドルを下方に押さえ付けた際の荷重がハンドルフレームを介して連結部材を経ることなく直接的に抵抗棒にかかることとなるため、連結部材の強度を抑えることができ、取付部材のコストダウンが図れる。
また、連結部材にはハンドルフレームを取り付ける取付部のみを設ければよく、さらに抵抗棒はハンドルフレームの筒状部を利用して進退可能に取り付けられているため、全体としてシンプルな構成となり、係る点においても軽量化、及びコストダウンに寄与する。
【図面の簡単な説明】
【０００８】
【図１】本発明の実施の形態に係る歩行型農作業機を示す側面図である。
【図２】本発明の実施の形態で、燃料の給油姿勢を示す側面図である。
【発明を実施するための形態】
【０００９】
以下、本発明に係る実施の形態を図１乃至図２に沿って説明する。
【００１０】
次に、本発明の実施の形態の一つを図面に基づいて説明する。
図面において、１は歩行型管理機であって、該歩行型管理機１は、前低後高状に傾斜するミッションケース２と、該ミッションケース２の中間部に設けられるエンジンフレーム３と、ミッションケース２の上部に設けられるハンドルフレーム５とを備え、ハンドルフレーム５は連結部材４を介してミッションケース２の後部に取り付けられている。ハンドルフレーム５の先端部には、斜め上方に延出するハンドル１４が設けられている。ハンドル１４は、二股状（Ｕ字状）に形成されており、その左右先端部には、オペレータが握るためのグリップ１５が設けられている。エンジンフレーム３上には、エンジン６、燃料タンク７及びマフラ８が設けられており、エンジン６の出力は、ベルトカバー９内の伝動ベルト（図示せず）を介してミッションケース２の上部に入力される。
【００１１】
ミッションケース２の下部には、左右両側方に突出する車軸１１が貫通状に組付けられている。車軸１１には、ミッションケース２の上部に入力されたエンジン動力が図示しない変速機構および伝動チェンを介して伝動され、車軸１１の先端部に装着される車輪（ロータディスク）１２が回転駆動される。さらに、車軸１１の中間部には、複数のロータリ爪１３が装着されており、該ロータリ爪１３は、車軸１１の回転駆動に伴って圃場を耕耘する。
【００１２】
前記ハンドルフレーム５は中空円筒状の部材からなり、下部が屈曲形成されており、前記連結部材４の後端部に、その屈曲形成された下部が略鉛直方向に向いて延びるように溶接されている。
【００１３】
そして、ハンドルフレーム５の下端部には、中空円柱状の支持部材１０ａが連続的且つ一体的に取付けられており、その内周部に抵抗棒１０を挿通し、ピン１０ｂで多段に固定することによって抵抗棒１０を高さ調節可能に支持している。
【００１４】
一方、抵抗棒１０は、前記ハンドルフレーム５の下部同様、鉛直方向に延び、その中途部から後方に屈曲し、下部が後下方に向けて突出するように形成されている。
【００１５】
そして、その鉛直方向に延びる上部は、前記支持部材１０ａの内周部に摺動上下自在に挿通されており、上述の高さ調節を行うことによって、耕耘作業時には、機体１の走行が適度に制動されるように耕耘土に干渉する一方、機体収納時には、機体１の転倒を規制するスタンドとして機能する。
【００１６】
尚、連結部材４の後端部にハンドル１４と抵抗棒１０支持部材１０ａが集中し、ハンドルフレーム５前方のトランスミッション固定プレート５ａの上にスペースが出来、該固定プレート５ａの上に燃料携行缶Ｎを載せ、携行缶Ｎの出口より燃料タンク７へ給油ポンプＫをセットし、ポンプを操作して給油をすることで、給油する時、片手で燃料携行缶Ｎを持ちながら給油しなくても、機体に載せた状態で容易に給油出来るようにすることもできる。
【００１７】
尚、本実施形態ではハンドルフレーム５の下部に支持部材１０ａを一体的に取り付けたが、ハンドルフレーム５の内径と抵抗棒１０の外径が略同一であれば、ハンドルフレーム５の下端部で直接的に支持してもよい。
【００１８】
本発明は以上のように構成したので、ハンドル１４を下方に押さえ付けた際の荷重がハンドルフレーム５を介して連結部材４を経ることなく直接的に抵抗棒１０にかかることとなるため、連結部材４の強度を抑えることができ、取付部材のコストダウンが図れる。
【００１９】
また、連結部材４にはハンドルフレーム５を取り付ける取付部のみを設ければよく、さらに抵抗棒１０はハンドルフレーム５の筒状部を利用して、進退可能に取り付けられているため、全体としてシンプルな構成となり、係る点においても軽量化、及びコストダウンに寄与する。
【符号の説明】
【００２０】
１ 歩行型管理機
２ ミッションケース
５ ハンドルフレーム
６ エンジン
１０ 抵抗棒
１０ａ  支持部材
１２ 車軸
１３ ロータリ爪
１４ ハンドル
【図１】
2014087264.tif 000003
【図２】
2014087264.tif 000004